(57)【要約】【課題】      足を開いた状態で身体を動かすようなゴルフ等のスポーツを行う際に着用するのに適したズボンを提供する。【解決手段】  ズボンの前身頃１のパターンを作図する際に、股上部および股下部の輪郭線を描いた後に、渡り線１２の中心点を通る前折り山線１１を脇方向（Ｓ方向）に移動量１〜５ｃｍ平行移動するとともに、脇線１８および内股線１７を膝線１３から下方は元の脇線および内股線に平行に脇方向に前記移動量と同じ分量移動し、膝線から上の脇線および内股線は前記移動した膝線の位置の脇線１３２および内股線１３１と渡り線の位置における元の脇線１６および内股線１５とを繋ぐように描いて前身頃のパターンを作製し、ズボンの後身頃２のパターンにおいても、前身頃１のパターンと同様にして後身頃のパターンを作製し、前身頃および後身頃のパターンに基いて生地を裁断し、縫製する。【選択図】    図２
2010248657.tif 000002
【特許請求の範囲】
【請求項１】
ズボンの左右の各前身頃において、前身頃の裾幅の中心と股下長さの半分の位置における前身頃の幅の中心とを通る前折り山線が、股下十字の位置における前身頃の幅の中心から脇方向に移動量１〜５ｃｍ偏位しており、ズボンの左右の各後身頃において、後身頃の裾幅の中心と股下長さの半分の位置における後身頃の幅の中心とを通る後折り山線が、股下十字の位置における後身頃の幅の中心から脇方向に、前記移動量と同じ分量偏位していることを特徴とするズボン。
【請求項２】
前記移動量が１．５〜３．０ｃｍであることを特徴とする請求項１記載のズボン。
【請求項３】
ズボンの前身頃のパターンを作図する際に、股上部および股下部の輪郭線を描いた後に、渡り線の中心点を通るズボンの長さ方向の基線である前折り山線を脇方向に移動量１〜５ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃のパターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃のパターンを作製し、該前身頃および後身頃のパターンに基いて生地を裁断し、縫製することを特徴とするズボンの製作方法。
【請求項４】
ズボンの前身頃のパターンを作図する際に、股上部および股下部の輪郭線を描いた後に、渡り線の中心点を通るズボンの長さ方向の基線である前折り山線を脇方向に移動量１〜５ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃の基本パターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃の基本パターンを作製し、前記前身頃の基本パターンにおける脇線および内股線をそれぞれ前折り山線の方向に移動して股下部の幅を狭めるともに、前記後身頃の基本パターンにおける脇線および内股線をそれぞれ後折り山線の方向に移動して股下部の幅を狭め、該幅を狭めた前身頃および後身頃のパターンに基いて生地を裁断し、縫製することを特徴とするズボンの製作方法。
【請求項５】
前記移動量が１．５〜３．０ｃｍであることを特徴とする請求項３または４記載のズボンの製作方法。
【発明の詳細な説明】
【技術分野】
【０００１】
本発明はズボンおよびズボンの製作方法に関する。特に、足を開いた状態で身体を動かすようなゴルフ等のスポーツを行う際に着用するのに適したズボンに関するものである。
【背景技術】
【０００２】
従来のズボンは真っ直ぐに立った状態に合せて形状、寸法が決定されている。そのため、日常生活おいて立った状態、或いは歩いている状態では何ら問題はない。
【０００３】
一方、最近では、レギュラーパンツ（筒状の股下部の幅が余り狭くないズボン）よりも身体にフィットするようなスリムなパンツがゴルフ等を行う人には好まれる傾向がある。
【０００４】
しかるに、ゴルフのようなスポーツでは、アドレスの際に足を開いて立ち、スイングする際も足を開いたまま身体を捻る運動をする。この場合、下半身の動きは内側への動きは小さく、外側への動きが大きくなる。人間工学的に見ても骨格や動きの基本は外側に動くようになっている。
【０００５】
このように足を開いた状態で大きな動作を行うと、レギュラーパンツを着用していてもパンツで動作が制約される感じがし、まして細身のスリムパンツでは窮屈感が生じる。
【０００６】
本願出願人は先にゴルフをする際に着用するのに適したズボンを特許文献１（特許第３４８１５７７号公報）において提案した。このズボンは膝を曲げ易く、或いは前屈みの姿勢がとり易いようにしたズボンであり、ズボンの前身頃の膝付近の幅を広げたものである。
【先行技術文献】
【特許文献】
【０００７】
【特許文献１】特許第３４８１５７７号公報
【発明の概要】
【発明が解決しようとする課題】
【０００８】
先行文献１の発明では膝の曲げ易さに着目しているが、足を開いて大きな動作することには配慮されていない。
【０００９】
本発明は、足を開いた状態で身体を動かすようなゴルフ等のスポーツを行う際に着用するのに適したズボンを提供することを目的とする。
【課題を解決するための手段】
【００１０】
本発明は、ズボンの左右の各前身頃において、前身頃の裾幅の中心と股下長さの半分の位置における前身頃の幅の中心とを通る前折り山線が、股下十字の位置における前身頃の幅の中心から脇方向に移動量１〜５ｃｍ偏位しており、ズボンの左右の各後身頃において、後身頃の裾幅の中心と股下長さの半分の位置における後身頃の幅の中心とを通る後折り山線が、股下十字の位置における後身頃の幅の中心から脇方向に、前記移動量と同じ分量偏位していることを特徴とするズボンにより前記目的を達成する。
【００１１】
前記移動量は１．５〜３．０ｃｍであることが一層好ましい。
【００１２】
また、本発明は、ズボンの前身頃のパターンを作図する際に、股上部および股下部の輪郭線を描いた後に、渡り線の中心点を通るズボンの長さ方向の基線である前折り山線を脇方向に移動量１〜５ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃のパターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃のパターンを作製し、該前身頃および後身頃のパターンに基いて生地を裁断し、縫製することを特徴とするズボンの製作方法により前記目的を達成する。
【００１３】
更に、本発明は、ズボンの前身頃のパターンを作図する際に、股上部および股下部の輪郭線を描いた後に、渡り線の中心点を通るズボンの長さ方向の基線である前折り山線を脇方向に移動量１〜５ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃の基本パターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃の基本パターンを作製し、前記前身頃の基本パターンにおける脇線および内股線をそれぞれ前折り山線の方向に移動して股下部の幅を狭めるともに、前記後身頃の基本パターンにおける脇線および内股線をそれぞれ後折り山線の方向に移動して股下部の幅を狭め、該幅を狭めた前身頃および後身頃のパターンに基いて生地を裁断し、縫製することを特徴とするズボンの製作方法により、前記目的を達成し、スリムなズボンを提供する。
【００１４】
このズボンの製作方法において、前記移動量は１．５〜３．０ｃｍであることが一層好ましい。
【発明の効果】
【００１５】
本発明によれば、股上部は従来通りに作製されているが、股下部においては前後の折り山線を脇方向（身体の外側方向）に移動するとともに、前身頃および後身頃の脇線および内股線も脇方向に移動したので、股下部は足を開いた状態に仕立てられる。このため、本発明のズボンを着用して、足を開いた状態でゴルフのスイングのように大きな動作を行っても、動きを妨げず、着用感がよい。
【００１６】
また、本発明によれば、スリムなフィット感のあるズボンであっても、基本パターンが足を開いた状態で着用するのに適したものであり、その基本パターンの脇線および内股線をそれぞれ折り山線の方向に移動して、股下部の幅を狭めてスリムなものとしているので、足を開いた状態で大きな動作を行っても、動きを妨げず、窮屈感がない。
【００１７】
本発明のズボンは、従来のズボンと同様に、股下部における折り山線はズボンの前身頃および後身頃の幅の中央に位置しているので、外観上は従来のズボンと同じであり、また、本発明のズボンを着用して真っ直ぐに立ったり、歩いたりする場合も違和感がない。
【図面の簡単な説明】
【００１８】
【図１】図１（ａ）は従来のレギュラーパンツの正面図であり、図１（ｂ）は右脚部は従来のレギュラーパンツと同じものを実線で示し、左脚部は点線で従来のレギュラーパンツを示し、実線でズボンの股下部を細くした従来のスリムなパンツを示す正面図であり、図１（ｃ）は図１（ａ）に示した従来のレギュラーパンツのパターンを示す平面図である。
【図２】図２（ａ）は本発明のズボンの一実施例の正面図であり、図中、前折り山線を実線で示し、従来の前折り山線を二点鎖線で示し、図２（ｂ）は図２（ａ）に示したズボンのパターンを示す平面図であり、従来のパターンの折り山線および股下部の輪郭線（内股線と脇線）を二点鎖線で示す。
【図３】図３（ａ）は本発明のズボンの別の実施例の正面図であり、右脚部は本発明によるレギュラーパンツ、左脚部は本発明によるスリムなパンツを実線で示し、点線で本発明によるレギュラーパンツを示すものである。図３（ｂ）は図３（ａ）に示したズボンのパターンを示す平面図であり、実線により本発明のスリムなズボンのパターンを示し、点線により図２（ｂ）に示した本発明のレギュラーパンツのパターンを示し、二点鎖線で従来のレギュラーパンツのパターンを示す。
【発明を実施するための形態】
【００１９】
図１（ａ）に示すように、従来のレギュラーパンツは真っ直ぐに立った状態に合せて形状、寸法が決定されている。また、図１（ｂ）の右脚部は図１（ａ）に示した従来のレギュラーパンツと同じものを実線で示し、左脚部は点線で従来のレギュラーパンツを示し、実線でズボンの股下部を細くしたものを示す。図１（ｂ）の左脚部に示すようにスリムなパンツはレギュラーパンツの幅を狭めることによって製作している。
【００２０】
図１（ｃ）は従来のレギュラーパンツの左身頃用のパターンであり、前身頃１と後身頃２からなる（なお、右身頃用パターンはこれらと対称である）。ズボンのパターンの基本線は折り山線１１、２１と渡り線１２、２２である。渡り線１２、２２から上が股上部となり、下が股下部となる。膝線１３、２３はこの位置に膝小僧があるわけではなく、ズボンの筒状部にアクセント（例えば、直線から曲線に切り替える）をつける位置であり、一般に股下線（裾線）１４、２４から股下寸法の１／２＋４〜１５ｃｍの位置である。図１（ｃ）では膝線１３、２３は股下線１４、２４から股下寸法の２／３の位置にとった。膝線１３、２３から裾までの長さが長い方が足長効果がでる。
【００２１】
図１（ｃ）に示すように、前身頃１においては渡り線１２の位置で前折り山線１１の左右に同寸法に点１５、１６をとる。点１５は内股線１７の上端となる。点１６は脇線１８が通る。渡り線１２の長さはデザインやゆとり等によっても異なるが、（尻囲寸法×１／４＋小股幅）程度とするのが一般的である。
【００２２】
点１６は仕立てられたズボンにおいては股下十字（左右脚部の内股縫い目と尻縫い目が出会う股底の箇所）に位置する。
【００２３】
膝線１３の位置でも前折り山線１１の左右に同寸法に点３１、３２をとり、膝幅（なお、膝幅はデザインの関係で裾口幅と同じでも、狭くても、広くてもよい）とする。図１（ｃ）に示したパターンでは膝幅は裾口幅よりもやや広い。また、裾の股下線１４の位置でも所望の裾口幅よりやや狭い寸法（前身頃の裾幅）を前折り山線１１の左右に同寸法で振り分けて点３３、３４をとる。
【００２４】
このように前折り山線１１は股下部の幅方向の中心となる線である。
【００２５】
内股線１７は点１５、３１、３３を結ぶ線であり、線分１５−３１（点１５と点３１を結ぶ線）はややカーブし、点３３から上に向かって直角に１０ｃｍ程度線を引き、その上端と点３１を直線で結ぶ。
【００２６】
脇線１８は点３４、３２、１６、３５を結ぶ線であり、線分１６−３２はややカーブし、点３４から上に向かって直角に１０ｃｍ程度線を引き、その上端と点３２を直線で結ぶ。
【００２７】
なお、線分１５−３６は股上部の設計（股上寸法、小股幅、ウエスト寸法、ゆとり分、デザイン等）により決まり、小股および前中心となるものである。線分１６−３５は股上部の脇線であり、股上部の設計（股上寸法、ウエスト寸法、ゆとり分、デザイン等）により決まり、ややカーブしている。
【００２８】
後身頃２においても、膝線２３の位置で後折り山線２１の左右に同寸法に点４１、４２をとり、膝幅とする。また、裾の股下線２４の位置でも所望の裾口幅より広い寸法（後身頃の裾幅）を後折り山線２１の左右に同寸法で振り分けて点４３、４４をとる。なお。通常、前身頃の膝幅（線分３１−３２の長さ）および裾幅（線分３３−３４の長さ）よりも後身頃の膝幅（線分４１−４２の長さ）および裾幅（線分４３−４４の長さ）の方が広い。
【００２９】
このように後折り山線２１は股下部の幅方向の中心となる線である。
【００３０】
内股線２７は点２５、４１、４３を結ぶ線であり、線分２５−４１はややカーブし、点４３から上に向かって直角に１０ｃｍ程度線を引き、その上端と点４１を直線で結ぶ。
【００３１】
脇線２８は点４４、４２、２６、４５を結ぶ線であり、線分２６−４２はややカーブし、点４４から上に向かって直角に１０ｃｍ程度線を引き、その上端と点４２を直線で結ぶ。
【００３２】
なお、線分２５−４６は股上部の設計（股上寸法、小股幅、ウエスト寸法、ゆとり分、デザイン等）により決まり、尻ぐり線（後中心）２９となるものである。線分２６−４５は股上部の脇線であり、股上部の設計（股上寸法、ウエスト寸法、ゆとり分、デザイン等）により決まり、ややカーブしている。
【００３３】
このパターンに基いて裁断・縫製したズボンにおいて、前身頃１の内股線１７と後身頃２の内股線２７が縫合わされる。図１（ｃ）に示したパターンにおいては、点２５は渡り線２２より下がっているが、縫製する際には前身頃１の点１５と後身頃２の点２５が出会うようにして縫合わされ、内股縫い目となる。前身頃１の脇線１８と後身頃２の脇線２８が縫合わされる。また、左右脚部の尻ぐり線２９は縫合わされ、尻縫い目となる。
【００３４】
このように、パターン上の点１５、２５は、仕立てられたズボンにおける股下十字の箇所となる。ズボンの左右の各前身頃において、前身頃の裾幅の中心と股下長さの半分の位置（膝線１３より下である）における前身頃の幅の中心とを通る前折り山線が、股下十字の位置における前身頃の幅の中心に位置する。同様に、ズボンの左右の各後身頃において、後身頃の裾幅の中心と股下長さの半分の位置における後身頃の幅の中心とを通る後折り山線が、股下十字の位置における後身頃の幅の中心に位置する。
【００３５】
図２に基き、本発明の一実施例を説明する。図２（ｂ）に示した本発明のパターンについて説明する。先ず、従来の手法に従ってパターンを作図し、股上部および股下部の輪郭線を描く。図２（ｂ）では従来のパターンの折り山線および股下部の輪郭線（内股線と脇線）を二点鎖線で示した。
【００３６】
前身頃１において、渡り線１２の中心点を通るズボンの長さ方向の基本線である前折り山線を脇方向（矢印Ｓで示した方向）に、すなわち脇線の方へ平行に移動する。この際、移動する分量（移動量）は１〜５ｃｍであり、１．５〜３ｃｍがより好ましく、例えば２ｃｍ移動する。移動後の前折り山線１１１を実線で示した。
【００３７】
内股線を膝線１３から下方は二点鎖線で示した元の内股線に平行に脇方向に移動する。移動する分量は前折り山線１１１の移動量と同じであり、例えば、前折り山線１１１を２ｃｍ移動した場合は、内股線も２ｃｍ移動する。移動後の内股線１１７を実線で示した。膝線１３から上方は点１３１と渡り線１２の位置の点１５（元の内股線の上端）とを滑らかなカーブで繋ぐ。
【００３８】
同様に、脇線を膝線１３から下方は元の脇線に平行に脇方向に移動する。移動する分量は前折り山線１１１の移動量と同じであり、例えば、前折り山線１１１を２ｃｍ移動した場合は、脇線も２ｃｍ移動する。移動後の脇線１１８を実線で示した。膝線から上方は点１３２と点１６（渡り線１２の位置における元の脇線の点）とを滑らかなカーブで繋ぐ。
【００３９】
ズボンの後身頃のパターンの作図においても同様に股上部および股下部の輪郭線を描いた後に、後折り山線を前折り山線１１１の移動量と同じ分量、脇方向（矢印Ｓで示した方向）に平行移動する。移動後の後折り山線１２１を実線で示した。内股線および脇線を膝線１３から下方は元の内股線および脇線に平行に脇方向に前折り山線１１１の移動量と同じ分量移動する。移動後の内股線１２７および脇線１２８を実線で示した。膝線１３から上方の内股線１２７は移動後の点１４１と点２５（元の内股線の上端）とを滑らかなカーブで繋ぐ。膝線１３から上方の脇線１２８は移動後の点１４２と点２６（渡り線２２の位置における元の脇線の点）とを滑らかなカーブで繋ぐ。
【００４０】
このようにして、本発明のズボンの前身頃および後身頃のパターンを作製する。この前身頃および後身頃のパターンに基いて生地を裁断し、縫製して、本発明のズボンを仕立てる。図２（ａ）は本発明のズボンの一実施例を示し、前折り山線を実線で示し、従来の前折り山線を点線で示し、矢印Ｓで脇方向に移動したことを表わした。また、矢印Ｍで下半身の動きが外側への動きが大きく、矢印Ｎで内側への動きが小さいことを示した。
【００４１】
図１（ｃ）に示したパターンと図２（ｂ）に示したパターンを比較すると、前身頃おいては、図１（ｃ）における点１５（内股線の上端）と点３４（脇線の下端）を結ぶ直線Ａの長さよりも、図２（ｂ）における点１５（内股線の上端）と点１３４（脇線の下端）を結ぶ直線Ｂの長さの方が長い。後身頃においても、同様に図１（ｃ）における点２５（内股線の上端）と点４４（脇線の下端）を結ぶ直線の長さよりも、図２（ｂ）における点２５（内股線の上端）と点１４４（脇線の下端）を結ぶ直線の長さの方が長い。このように、ズボンの股下部における幅が従来のものと同じであっても、内股線の上端と脇線の下端との間の長さが本発明のズボンの方が長いので、ゆとりが大きくなり、足を開いて立ち、ゴルフのスイングのように身体を動かしても窮屈感がない。
【００４２】
本発明の別の実施例を図３に基き説明する。図３（ａ）は、右脚部は本発明によるレギュラーパンツ、左脚部は本発明によるスリムなパンツを実線で示し、点線で本発明によるレギュラーパンツを示すものである。図３（ａ）に示すように、本発明のスリムなパンツは本発明のレギュラーパンツを細くしたものであり、スリムにしても、従来のレギュラーパンツよりもゆとりがある。
【００４３】
図３（ｂ）に基いて、図３（ａ）のズボンのパターンの作図方法を説明する。図３（ｂ）において、実線により本発明のスリムなズボンのパターンを示し、点線により図２（ｂ）に示した本発明のレギュラーパンツのパターンを示し、二点鎖線で従来のレギュラーパンツのパターンを示した。先ず図２（ｂ）に示したパターンを前身頃の基本パターンおよび後身頃の基本パターンとする。図３（ｂ）に示した実施例では足長効果を高めるために、膝線１３、２３の位置を数ｃｍ高くして、前身頃の膝線１３′と後身頃の膝線２３′としているが、膝線の位置は変えなくてもよい。
【００４４】
前身頃１の基本パターンにおける内股線１１７および脇線１１８をそれぞれ前折り山線１１１の方向に移動して、実線で示した内股線２１７および脇線２１８とし、股下部の幅を狭める。この際、膝線１３を膝線１３′に移動したので、この膝線１３′の位置で直線からカーブに切り替える。
【００４５】
同様に、後身頃２の基本パターンにおける内股線１２７および脇線１２８をそれぞれ後折り山線１２１の方向に移動して、実線で示した内股線２２７および脇線２２８とし、股下部の幅を狭める。この際、膝線２３を膝線２３′に移動したので、この膝線２３′の位置で直線からカーブに切り替える。
【００４６】
このように幅を狭めた前身頃および後身頃のパターンに基いて生地を裁断し、縫製すると、本発明のスリムなズボンが得られる。
【００４７】
図３（ｂ）の実線と二点鎖線のパターンを比較すると、前身頃１おいては、点１５（内股線の上端）と点２３４（本発明の実施例の脇線の下端）を結ぶ直線の長さの方が、点１５（内股線の上端）と点３４（二点鎖線で示した従来の脇線の下端）を結ぶ直線の長さよりも長い。また、後身頃２においても、同様に点２５（内股線の上端）と点２４４（本発明の実施例の脇線の下端）を結ぶ直線の長さの方が、点２５（内股線の上端）と点４４（二点鎖線で示した従来の脇線の下端）を結ぶ直線の長さよりも長い。このように、本発明によれば、ズボンの股下部における幅を細くしても、内股線の上端と脇線の下端との間の長さが、従来のレギュラーパンツよりも本発明のスリムなズボンの方が長く、従って、ゆとりが大きくなり、足を開いて身体を動かしても窮屈感がない。
【符号の説明】
【００４８】
１  前身頃
２  後身頃
１１  従来の前折り山線
２１  従来の後折り山線
１１１  本発明の前折り山線
１２１  本発明の後折り山線
１２、２２  渡り線
１３、２３  膝線
１３′、２３′  位置を数ｃｍ高くした膝線
１５、２５  内股線の上端
１６、２６  渡り線の位置における脇線
１７、２７  従来の内股線
１１７、１２７、２１７、２２７  本発明の内股線
１８、２８  脇線
１１８、１２８、２１８、２２８  本発明の脇線
１３１、１４１  膝線の位置における本発明の内股線
１３２、１４２  膝線の位置における脇線
Ａ  点１５（内股線の上端）と点３４（脇線の下端）を結ぶ直線
Ｂ  点１５（内股線の上端）と点１３４（脇線の下端）を結ぶ直線
Ｍ  下半身の外側への動き
Ｎ  下半身の内側への動き
Ｓ  平行移動する方向（脇方向）
【図１】
2010248657.tif 000003
【図２】
2010248657.tif 000004
【図３】
2010248657.tif 000005